(57)【要約】【課題】サイプの面取り形状を工夫することにより、車両装着方向が指定されたタイヤにおいて、ドライ路面での操縦安定性能の向上とウエット路面での操縦安定性能の向上の両立を可能にした空気入りタイヤを提供する。【解決手段】サイプ１１は踏み込み側のエッジ１１Ａと蹴り出し側のエッジ１１Ｂを有し、これら踏み込み側のエッジ１１Ａと蹴り出し側のエッジ１１Ｂのそれぞれにサイプ１１のサイプ長さＬよりも短い面取り部１２とが形成されており、サイプ１１における各面取り部１２に対向する部位には他の面取り部が存在しない非面取り領域１３があり、主溝９以外の溝に形成された面取り部であって少なくともサイプ１１の面取り部１２を含む全ての面取り部において、車両装着内側に位置する面取り部の総体積ＳINと車両装着外側に位置する面取り部の総体積ＳOUTとがＳIN＞ＳOUTの関係を満たす。【選択図】図２
2018131048.tif 000002
【特許請求の範囲】
【請求項１】
トレッド部にタイヤ周方向に延びる複数本の主溝を有し、該主溝により区画されるリブにタイヤ幅方向に延びるサイプを備えると共に、車両に対する装着方向が指定された空気入りタイヤにおいて、
前記サイプは踏み込み側のエッジと蹴り出し側のエッジを有し、これら踏み込み側のエッジと蹴り出し側のエッジのそれぞれに前記サイプのサイプ長さよりも短い面取り部が形成されており、前記サイプにおける各面取り部に対向する部位には他の面取り部が存在しない非面取り領域があり、前記主溝以外の溝に形成された面取り部であって少なくとも前記サイプの面取り部を含む全ての面取り部において、車両装着内側に位置する面取り部の総体積ＳINと車両装着外側に位置する面取り部の総体積ＳOUTとがＳIN＞ＳOUTの関係を満たすことを特徴とする空気入りタイヤ。
【請求項２】
前記サイプの最大深さｘ（ｍｍ）と前記面取り部の最大深さｙ（ｍｍ）が下記式（１）の関係を満たし、前記面取り部のタイヤ径方向内側に位置する端部から前記サイプの溝底までの範囲において前記サイプのサイプ幅が一定であることを特徴とする請求項１に記載の空気入りタイヤ。
ｘ×０．１≦ｙ≦ｘ×０．３＋１．０  （１）
【請求項３】
前記主溝により区画される複数列のリブのうち２列以上のリブに前記サイプが配置されていることを特徴とする請求項１又は２に記載の空気入りタイヤ。
【請求項４】
前記全ての面取り部において車両装着内側に位置する面取り部の総投影面積ＡINと車両装着外側に位置する面取り部の総投影面積ＡOUTとがＡIN≦ＡOUTの関係を満たすことを特徴とする請求項１〜３のいずれかに記載の空気入りタイヤ。
【請求項５】
前記全ての面取り部において車両装着内側に位置する面取り部の総体積ＳINが車両装着外側に位置する面取り部の総体積ＳOUTに対して１．５〜５．０倍であることを特徴とする請求項１〜４のいずれかに記載の空気入りタイヤ。
【発明の詳細な説明】
【技術分野】
【０００１】
本発明は、空気入りタイヤに関し、更に詳しくは、サイプの面取り形状を工夫することにより、車両装着方向が指定されたタイヤにおいて、ドライ路面での操縦安定性能の向上とウエット路面での操縦安定性能の向上の両立を可能にした空気入りタイヤに関する。
【背景技術】
【０００２】
従来、空気入りタイヤのトレッドパターンにおいて、複数の主溝により区画されるリブには複数本のサイプが形成されている。このようなサイプを設けることにより排水性を確保し、ウエット路面での操縦安定性能を発揮するようにしている。しかしながら、ウエット路面での操縦安定性能の改善のためトレッド部に多数のサイプを配置した場合、リブの剛性が低下するため、ドライ路面での操縦安定性能が低下するという欠点がある。
【０００３】
また、空気入りタイヤにおいて、トレッドパターンにサイプを形成しかつその面取りを施したものが種々提案されている（例えば、特許文献１参照）。サイプを形成しかつその面取りを施した場合、面取りの形状によってはエッジ効果を喪失することがあり、また、面取りの寸法によってはドライ路面での操縦安定性能或いはウエット路面での操縦安定性能の向上が不十分となることがある。
【先行技術文献】
【特許文献】
【０００４】
【特許文献１】特表２０１３−５３７１３４号公報
【発明の概要】
【発明が解決しようとする課題】
【０００５】
本発明の目的は、サイプの面取り形状を工夫することにより、車両装着方向が指定されたタイヤにおいて、ドライ路面での操縦安定性能の向上とウエット路面での操縦安定性能の向上の両立を可能にした空気入りタイヤを提供することにある。
【課題を解決するための手段】
【０００６】
上記目的を達成するための本発明の空気入りタイヤは、トレッド部にタイヤ周方向に延びる複数本の主溝を有し、該主溝により区画されるリブにタイヤ幅方向に延びるサイプを備えると共に、車両に対する装着方向が指定された空気入りタイヤにおいて、前記サイプは踏み込み側のエッジと蹴り出し側のエッジを有し、これら踏み込み側のエッジと蹴り出し側のエッジのそれぞれに前記サイプのサイプ長さよりも短い面取り部が形成されており、前記サイプにおける各面取り部に対向する部位には他の面取り部が存在しない非面取り領域があり、前記主溝以外の溝に形成された面取り部であって少なくとも前記サイプの面取り部を含む全ての面取り部において、車両装着内側に位置する面取り部の総体積ＳINと車両装着外側に位置する面取り部の総体積ＳOUTとがＳIN＞ＳOUTの関係を満たすことを特徴とする。
【発明の効果】
【０００７】
本発明では、主溝により区画されたリブにタイヤ幅方向に延びるサイプを備えると共に、車両に対する装着方向が指定された空気入りタイヤにおいて、サイプの踏み込み側のエッジと蹴り出し側のエッジのそれぞれにサイプのサイプ長さよりも短い面取り部を設ける一方で、該サイプにおける各面取り部に対向する部位には他の面取り部が存在しない非面取り領域があることで、面取り部に基づいて排水効果を改善すると同時に、非面取り領域ではエッジ効果により水膜を効果的に除去することができる。そのため、ウエット路面での操縦安定性能を大幅に向上させることが可能となる。しかも、踏み込み側のエッジと蹴り出し側のエッジのそれぞれに面取り部と非面取り領域が混在しているため、上述のようなウエット性能の改善効果を制動時及び駆動時において最大限に享受することができる。また、従来の面取りを施したサイプと比較して、面取りを施す面積を最小限とすることができるため、ドライ路面での操縦安定性能を向上させることが可能となる。その結果、ドライ路面での操縦安定性能の向上とウエット路面での操縦安定性能の向上とを両立させることが可能となる。更に、主溝以外の溝に形成された面取り部であって少なくともサイプの面取り部を含む全ての面取り部において、車両装着内側に位置する面取り部の総体積ＳINを相対的に大きくすることによりウエット路面での操縦安定性能（特に、ハイドロプレーニング防止性能）を向上させることができると共に、車両装着外側に位置する面取り部の総体積ＳOUTを相対的に小さくすることによりドライ路面での操縦安定性能を向上させることができる。その結果、ドライ路面での操縦安定性能とウエット路面での操縦安定性能とをバランス良く改善することが可能となる。
【０００８】
本発明では、サイプの最大深さｘ（ｍｍ）と面取り部の最大深さｙ（ｍｍ）は下記式（１）の関係を満たし、面取り部のタイヤ径方向内側に位置する端部からサイプの溝底までの範囲においてサイプのサイプ幅が一定であることが好ましい。これにより、従来の面取りを施したサイプと比較して、面取りを施す面積を最小限とすることができるため、ドライ路面での操縦安定性能を向上させることが可能となる。その結果、ドライ路面での操縦安定性能の向上とウエット路面での操縦安定性能の向上を両立させることが可能となる。
ｘ×０．１≦ｙ≦ｘ×０．３＋１．０  （１）
【０００９】
本発明では、主溝により区画される複数列のリブのうち２列以上のリブにサイプが配置されていることが好ましい。これにより、ドライ路面での操縦安定性能とウエット路面での操縦安定性能とをバランス良く改善することが可能となる。
【００１０】
本発明では、上記全ての面取り部において車両装着内側に位置する面取り部の総投影面積ＡINと車両装着外側に位置する面取り部の総投影面積ＡOUTとがＡIN≦ＡOUTの関係を満たすことが好ましい。これにより、面取り部の潰れの抑制効果とエッジ効果とをトレッド部全体で均一に得ることができるため、ドライ路面での操縦安定性能を向上させることが可能となる。
【００１１】
本発明では、上記全ての面取り部において車両装着内側に位置する面取り部の総体積ＳINが車両装着外側に位置する面取り部の総体積ＳOUTに対して１．５〜５．０倍であることが好ましい。これにより、ドライ路面での操縦安定性能とウエット路面での操縦安定性能とをバランス良く改善することが可能となる。
【００１２】
本発明において、面取り部の体積とは、面取り部を有する溝と面取り部の輪郭線とトレッド部の踏面とに囲まれる領域の体積であり、言い換えれば、面取りを施すにあたって溝壁とトレッド部の踏面とがなすエッジ部分の削り取り量である。一方、面取り部の投影面積とは、面取り部をトレッド部の踏面の法線方向に投影したときに計測される面積である。
【図面の簡単な説明】
【００１３】
【図１】本発明の実施形態からなる空気入りタイヤを示す子午線断面図である。
【図２】本発明の実施形態からなる空気入りタイヤのトレッド部の一例を示す平面図である。
【図３】本発明に係る空気入りタイヤのトレッド部の一部を示す斜視図である。
【図４】本発明に係る空気入りタイヤのトレッド部の一部を示す平面図である。
【図５】図４のトレッド部に形成されたサイプ及びその面取り部を示す平面図である。
【図６】図４のＸ−Ｘ矢視断面図である。
【図７】（ａ），（ｂ）は本発明に係る空気入りタイヤのトレッド部に形成されたサイプ及びその面取り部の変形例を示す断面図である。
【図８】（ａ），（ｂ）は本発明に係る空気入りタイヤのトレッド部に形成されたサイプ及びその面取り部の変形例を示す断面図である。
【図９】本発明の実施形態からなる空気入りタイヤのトレッド部の他の変形例を示す平面図である。
【図１０】本発明に係る空気入りタイヤのサイプ及びその面取り部の他の変形例を示す平面図である。
【図１１】（ａ），（ｂ）は本発明に係る空気入りタイヤのサイプ及びその面取り部の他の変形例を示す平面図である。
【図１２】図４のＹ−Ｙ矢視断面図である。
【発明を実施するための形態】
【００１４】
以下、本発明の構成について添付の図面を参照しながら詳細に説明する。なお、図１，図２において、ＣＬはタイヤ中心線である。
【００１５】
図１に示すように、本発明の実施形態からなる空気入りタイヤは、車両に対する装着方向が指定されており、ＩＮはタイヤを車両に装着したときに車両に対してタイヤ中心線ＣＬよりも内側（以下、車両装着内側という）を示し、ＯＵＴはタイヤを車両に装着したときに車両に対してタイヤ中心線ＣＬよりも外側（以下、車両装着外側という）を示している。図１に示す空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００１６】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００１７】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００１８】
なお、上述したタイヤ内部構造は空気入りタイヤにおける代表的な例を示すものであるが、これに限定されるものではない。
【００１９】
図２は本発明の実施形態からなる空気入りタイヤのトレッド部の一例を示すものである。トレッド部１には、タイヤ周方向に延びる４本の主溝９が形成されている。主溝９は、タイヤ中心線ＣＬの両側に位置する一対の内側主溝９Ａ，９Ａと、タイヤ幅方向最外側に位置する一対の外側主溝９Ｂ，９Ｂとを含んでいる。これら４本の主溝９により、トレッド部１には、リブ１０が区画されている。リブ１０は、タイヤ中心線ＣＬ上に位置するセンターリブ１００Ａと、センターリブ１００Ａのタイヤ幅方向外側に位置する一対の中間リブ１００Ｂ，１００Ｃと、各中間リブ１００Ｂ，１００Ｃのタイヤ幅方向外側に位置する一対のショルダーリブ１００Ｄ，１００Ｅとを含んでいる。
【００２０】
センターリブ１００Ａと中間リブ１００Ｂ，１００Ｃには、それぞれ一対の面取り部１２を有するサイプ１１が形成されている。サイプ１１は、センターリブ１００Ａに配置されたサイプ１１０Ａと、中間リブ１００Ｂ，１００Ｃのそれぞれに配置されたサイプ１１０Ｂ，１１０Ｃとを含んでいる。面取り部１２は、サイプ１１０Ａに形成された面取り部１２０Ａと、サイプ１１０Ｂに形成された面取り部１２０Ｂと、サイプ１１０Ｃに形成された面取り部１２０Ｃとを含んでいる。
【００２１】
センターリブ１００Ａには、タイヤ幅方向に対して同一方向に傾斜する複数本のサイプ１１０Ａがタイヤ周方向に間隔をおいて形成されている。これらサイプ１１０Ａは一端が内側主溝９Ａに対して連通する一方で他端がセンターリブ１００Ａ内で終端している。即ち、サイプ１１０Ａはセミクローズドサイプである。
【００２２】
中間リブ１００Ｂには、タイヤ幅方向に対して同一方向に傾斜する複数本のサイプ１１０Ｂがタイヤ周方向に間隔をおいて形成されている。これらサイプ１１０Ｂは一端が内側主溝９Ａに対して連通する一方で他端が外側主溝９Ｂに対して連通している。即ち、サイプ１１０Ｂはオープンサイプである。中間リブ１００Ｃには、タイヤ幅方向に対して同一方向に傾斜する複数本のサイプ１１０Ｃがタイヤ周方向に間隔をおいて形成されている。これらサイプ１１０Ｃは一端が中間リブ１００Ｃ内で終端している一方で他端が外側主溝９Ｂに対して連通している。即ち、サイプ１１０Ｃはセミクローズドサイプである。
【００２３】
ショルダーリブ１００Ｄ，１００Ｅには、タイヤ幅方向に延在し、タイヤ幅方向に対して同一方向に傾斜し、外側主溝９Ｂに対して非連通となる複数本のラグ溝２００がタイヤ周方向に間隔をおいて形成されている。ラグ溝２００は、ショルダーリブ１００Ｄに形成されたラグ溝２００Ａと、ショルダーリブ１００Ｅに形成されたラグ溝２００Ｂとを含んでいる。
【００２４】
図３〜図６は本発明に係る空気入りタイヤのトレッド部の一部を示すものである。図３〜図５において、Ｔｃはタイヤ周方向、Ｔｗはタイヤ幅方向を示している。図３に示すように、リブ１０はタイヤ幅方向に延びる複数本のサイプ１１と、複数本のサイプ１１により区画されたブロック１０１とを含んでいる。複数のブロック１０１はタイヤ周方向に並ぶように配置されている。サイプ１１とは溝幅が１．５ｍｍ以下の細溝である。
【００２５】
図４に示すように、サイプ１１は全体の形状が湾曲状を有し、リブ１０内においてタイヤ周方向に間隔をおいて形成されている。また、サイプ１１は、回転方向Ｒに対して踏み込み側となるエッジ１１Ａと、回転方向Ｒに対して蹴り出し側となるエッジ１１Ｂとを有している。踏み込み側のエッジ１１Ａと蹴り出し側のエッジ１１Ｂのそれぞれに面取り部１２が形成されている。
【００２６】
面取り部１２は、回転方向Ｒに対して踏み込み側となる面取り部１２Ａと、回転方向Ｒに対して蹴り出し側となる面取り部１２Ｂとを有している。これら面取り部１２に対向する部位には他の面取り部が存在しない非面取り領域１３が存在している。即ち、面取り部１２Ａに対向する部位に回転方向Ｒに対して蹴り出し側となる非面取り領域１３Ｂがあり、面取り部１２Ｂに対向する部位に回転方向Ｒに対して踏み込み側となる非面取り領域１３Ａがある。このようにサイプ１１の踏み込み側のエッジ１１Ａと蹴り出し側のエッジ１１Ｂのそれぞれに面取り部１２と他の面取り部が存在しない非面取り領域１３が隣接するように配置されている。
【００２７】
図５に示すように、サイプ１１及び面取り部１２Ａ，１２Ｂにおいて、タイヤ幅方向の長さをそれぞれサイプ長さＬ、面取り長さＬA，ＬBとする。これらサイプ長さＬ、面取り長さＬA，ＬBは、サイプ１１又は面取り部１２Ａ，１２Ｂのそれぞれの一方の端部から他方の端部までのタイヤ幅方向の長さである。面取り部１２Ａ，１２Ｂの面取り長さＬA，ＬBはいずれもサイプ１１のサイプ長さＬよりも短く形成されている。
【００２８】
図６はサイプの延在方向に対して直交しかつトレッド部１を鉛直方向に切り欠いたものである。図６に示すように、サイプ１１の最大深さをｘ（ｍｍ）、面取り部１２の最大深さをｙ（ｍｍ）とするとき、最大深さｘ（ｍｍ）より最大深さｙ（ｍｍ）が浅くなるようにサイプ１１と面取り部１２は形成されている。サイプ１１の最大深さｘは３ｍｍ〜８ｍｍが好ましい。面取り部１２のタイヤ径方向内側に位置する端部１２１からサイプ１１の溝底までの範囲においてサイプ１１のサイプ幅Ｗが実質的に一定である。このサイプ幅Ｗは、例えば、サイプ１１の溝壁に突条が存在する場合にはその突条の高さをサイプ幅に含めないものとし、或いはサイプ１１のサイプ幅が溝底に向かうにしたがって徐々に狭くなっている場合には狭くなっている部分はサイプ幅に含めないものとして、実質的に測定されるサイプ１１の幅とする。
【００２９】
上記空気入りタイヤにおいて、主溝９以外の溝に形成された面取り部であって少なくともサイプ１１の面取り部１２を含む全ての面取り部において、車両装着内側に位置する全ての面取り部の総体積ＳINと車両装着外側に位置する全ての面取り部の総体積ＳOUTとがＳIN＞ＳOUTの関係を満たす。図２の態様では、サイプ１１のみに面取り部が設けられているため、主溝９以外の溝（サイプ１１及びラグ溝２００）に形成された全ての面取り部は面取り部１２で構成されており、車両装着内側に位置する全ての面取り部１２０Ａ，１２０Ｂの総体積ＳINが車両装着外側に位置する全ての面取り部１２０Ｃの総体積ＳOUTより大きくなるように構成されている。
【００３０】
このように車両装着内側に位置する全ての面取り部の総体積ＳINを車両装着外側に位置する全ての面取り部の総体積ＳOUTより大きくする方法として、車両装着内側に位置するサイプ１１の総本数を車両装着外側に位置するサイプ１１の総本数より多くすることや、サイプ１１の他に車両装着内側に位置する溝（例えば、サイプ、ラグ溝）に面取り部を設けること等を挙げることができる。また、車両装着内側と車両装着外側に位置するサイプ１１の面取り部１２のそれぞれの断面形状を異ならせて、図７（ａ），（ｂ）に示すように車両装着内側に位置するサイプ１１の面取り部１２の体積を相対的に大きくする一方で図８（ａ），（ｂ）に示すように車両装着外側に位置するサイプ１１の面取り部１２の体積を相対的に小さくし、ＳIN＞ＳOUTの関係を満たすように構成することもできる。
【００３１】
図７（ａ），（ｂ）及び図８（ａ），（ｂ）は本発明に係る空気入りタイヤのトレッド部に形成されたサイプ及びその面取り部の変形例を示すものである。図７（ａ），（ｂ）に示すように、サイプ１１の長手方向に垂直な断面視において、面取り部１２の端部１２１，１２２を結ぶ線分を面取り基準線ＲＬとする。そして、面取り部１２Ａ，１２Ｂの少なくとも一方がこの面取り基準線ＲＬよりもタイヤ径方向内側に向かって凸となる輪郭線ＯＬを有している。この輪郭線ＯＬとサイプ１１とトレッド部１の踏面とに囲まれた領域を面取り領域Ｒａとし、面取り基準線ＲＬとサイプ１１と踏面とに囲まれた領域を基準領域Ｒｂとする。即ち、図７（ａ），（ｂ）に示す２本の点線と輪郭線ＯＬとに囲まれた扇形の領域が面取り領域Ｒａであり、図７（ａ），（ｂ）に示す２本の点線と面取り基準線ＲＬとに囲まれた三角形の領域が基準領域Ｒｂである。このとき、面取り領域Ｒａの断面積ａは基準領域Ｒｂの断面積ｂと同等又は基準領域Ｒｂの断面積ｂよりも大きくなっている。特に、面取り領域Ｒａの断面積ａは基準領域Ｒｂの断面積ｂよりも大きいことが好ましい。
【００３２】
図８（ａ），（ｂ）に示すように、サイプ１１の長手方向に垂直な断面視において、面取り部１２の端部１２１，１２２を結ぶ線分を面取り基準線ＲＬとする。そして、面取り部１２Ａ，１２Ｂの少なくとも一方がこの面取り基準線ＲＬよりもタイヤ径方向外側に向かって凸となる輪郭線ＯＬを有している。この輪郭線ＯＬとサイプ１１とトレッド部１の踏面とに囲まれた領域を面取り領域Ｒａとし、面取り基準線ＲＬとサイプ１１と踏面とに囲まれた領域を基準領域Ｒｂとする。即ち、図８（ａ），（ｂ）に示す２本の点線と輪郭線ＯＬとに囲まれた領域が面取り領域Ｒａであり、図８（ａ），（ｂ）に示す２本の点線と面取り基準線ＲＬとに囲まれた三角形の領域が基準領域Ｒｂである。このとき、面取り領域Ｒａの断面積ａは基準領域Ｒｂの断面積ｂよりも小さくなっている。
【００３３】
上記空気入りタイヤでは、サイプ１１の踏み込み側のエッジ１１Ａと蹴り出し側のエッジ１１Ｂのそれぞれにサイプ１１のサイプ長さＬよりも短い面取り部１２を設け、サイプ１１における各面取り部１２に対向する部位には他の面取り部が存在しない非面取り領域１３があることで、面取り部１２に基づいて排水効果を改善すると同時に、面取り部１２を設けていない非面取り領域１３ではエッジ効果により水膜を効果的に除去することができる。そのため、ウエット路面での操縦安定性能を大幅に向上させることが可能となる。しかも、踏み込み側のエッジ１１Ａと蹴り出し側のエッジ１１Ｂのそれぞれに面取り部１２と面取り部が存在しない非面取り領域１３が混在しているため、上述のようなウエット性能の改善効果を制動時及び駆動時において最大限に享受することができる。更に、主溝９以外の溝に形成された面取り部であって少なくともサイプ１１の面取り部１２を含む全ての面取り部において、車両装着内側に位置する面取り部の総体積ＳINを相対的に大きくすることによりウエット路面での操縦安定性能（特に、ハイドロプレーニング防止性能）を向上させることができると共に、車両装着外側に位置する面取り部の総体積ＳOUTを相対的に小さくすることによりドライ路面での操縦安定性能を向上させることができる。その結果、ドライ路面での操縦安定性能とウエット路面での操縦安定性能とをバランス良く改善することが可能となる。
【００３４】
上記空気入りタイヤにおいて、最大深さｘ（ｍｍ）と最大深さｙ（ｍｍ）が下記式（１）の関係を満たすように構成すると良い。下記式（１）の関係を満たすようにサイプ１１と面取り部１２を設けることで、従来の面取りを施したサイプと比較して、面取りを施す面積を最小限とすることができるため、ドライ路面での操縦安定性能を向上させることが可能となる。その結果、ドライ路面での操縦安定性能の向上とウエット路面での操縦安定性能の向上を両立させることが可能となる。ここで、ｙ＜ｘ×０．１であると面取り部１２に基づく排水効果が不十分になり、逆にｙ＞ｘ×０．３＋１．０であるとリブ１０の剛性低下によりドライ路面での操縦安定性能が低下することになる。特に、ｙ≦ｘ×０．３＋０．５の関係を満足すると良い。
ｘ×０．１≦ｙ≦ｘ×０．３＋１．０  （１）
【００３５】
また、主溝９により区画される複数列のリブ１０のうち２列以上のリブ１０にサイプ１１が配置されていることが好ましい。このように２列以上のリブ１０にサイプ１１を配置することで、ドライ路面での操縦安定性能とウエット路面での操縦安定性能とをバランス良く改善することが可能となる。
【００３６】
更に、上記全ての面取り部において車両装着内側に位置する面取り部の総体積ＳINが車両装着外側に位置する面取り部の総体積ＳOUTに対して１．５〜５．０倍であることが好ましく、２．０〜４．０倍であることがより好ましい。このように車両装着内側に位置する面取り部の総体積ＳINを車両装着外側に位置する面取り部の総体積ＳOUTに対して適度に設定することで、ドライ路面での操縦安定性能とウエット路面での操縦安定性能とをバランス良く改善することが可能となる。
【００３７】
図９は本発明の実施形態からなる空気入りタイヤのトレッド部の他の変形例を示すものである。図９に示すように、トレッド部１は、タイヤ周方向に延びる４本の主溝９により区画され、タイヤ中心線ＣＬ上に位置するセンターリブ１００Ａと、そのタイヤ幅方向外側に位置する一対の中間リブ１００Ｂ，１００Ｃと、各中間リブ１００Ｂ，１００Ｃのタイヤ幅方向外側に位置する一対のショルダーリブ１００Ｄ，１００Ｅからなる。センターリブ１００Ａには溝は形成されておらず、中間リブ１００Ｂ，１００Ｃには一対の面取り部１２０Ｂ，１２０Ｃを有するサイプ１１０Ｂ，１１０Ｃがそれぞれ形成され、ショルダーリブ１００Ｄ，１００Ｅにはラグ溝２００Ａ，２００Ｂがそれぞれ形成されている。また、主溝９以外の溝（サイプ１１及びラグ溝２００）に形成された全ての面取り部は面取り部１２０Ｂ，１２０Ｃから構成されると共に、車両装着内側に位置する全ての面取り部１２０Ｂの総投影面積ＡINと、車両装着外側に位置する全ての面取り部１２０Ｃの総投影面積ＡOUTとは同等となるように構成されている。更に、車両装着内側に位置する面取り部１２０Ｂは図７（ａ），（ｂ）に示す断面形状を有する一方で、車両装着外側に位置する面取り部１２０Ｃは図８（ａ），（ｂ）に示す断面形状を有している。即ち、車両装着内側に位置する全ての面取り部１２０Ｂの総体積ＳINと車両装着外側に位置する全ての面取り部１２０Ｃの総体積ＳOUTとがＳIN＞ＳOUTの関係を満たしている。
【００３８】
上記空気入りタイヤでは、主溝９以外の溝に形成された面取り部であって少なくともサイプ１１の面取り部１２を含む全ての面取り部において、車両装着内側に位置する面取り部の総投影面積ＡINと車両装着外側に位置する面取り部の総投影面積ＡOUTとがＡIN≦ＡOUTの関係を満たす。このような関係を満たすように総投影面積ＡINと総投影面積ＡOUTとを設定することで、面取り部の潰れの抑制効果とエッジ効果とをトレッド部全体で均一に得ることができるため、ドライ路面での操縦安定性能を向上させることが可能となる。
【００３９】
図１０は本発明に係る空気入りタイヤのトレッド部に形成されたサイプ及びその面取り部の他の変形例を示すものである。図１０に示すサイプ１１は、タイヤ周方向に対して傾斜角度θを有するように形成されている。この傾斜角度θは、サイプ１１の両端部を結ぶ仮想線（図１０で示す点線）とブロック１０１の側面がなす角度をいい、傾斜角度θには鋭角側の傾斜角度と鈍角側の傾斜角度が存在し、図１０においては鋭角側の傾斜角度θを示している。また、傾斜角度θは、リブ１０内の中間ピッチにおけるサイプ１１の傾斜角度を対象とする。このとき、鋭角側の傾斜角度θは、４０°〜８０°であることが好ましく、より好ましくは５０°〜７０°であると良い。このようにサイプ１１をタイヤ周方向に対して傾斜させることで、パターン剛性を向上させることができ、ドライ路面での操縦安定性能をより一層向上させることが可能となる。ここで、傾斜角度θが４０°より小さいと耐偏摩耗性能が悪化し、８０°を超えるとパターン剛性を十分に向上させることができない。
【００４０】
本発明では、サイプ１１の鋭角側の傾斜角度θを有する側を鋭角側とし、サイプ１１の鈍角側の傾斜角度θを有する側を鈍角側とする。サイプ１１のエッジ１１Ａ，１１Ｂにそれぞれ形成された面取り部１２Ａ，１２Ｂはサイプ１１の鋭角側に形成されている。このようにサイプ１１の鋭角側に面取りが施されていることで、耐偏摩耗性能をより一層改善することが可能となる。或いは、面取り部１２Ａ，１２Ｂがサイプ１１の鈍角側に形成されていても良い。このように面取り部１２がサイプ１１の鈍角側に形成されていることで、エッジ効果が大きくなり、ウエット路面での操縦安定性能をより一層向上させることが可能となる。
【００４１】
本発明では、上述するサイプ１１の全体の形状が湾曲状であることによって、ウエット路面での操縦安定性能を向上させることが可能となるが、更に、サイプ１１の一部が平面視において湾曲或いは屈曲する形状を有していても良い。このようにサイプ１１が形成されていることで、各サイプ１１におけるエッジ１１Ａ，１１Ｂの総量が増大し、ウエット路面での操縦安定性能を向上させることが可能となる。
【００４２】
面取り部１２は、図１０に示すように、サイプ１１の踏み込み側のエッジ１１Ａと蹴り出し側のエッジ１１Ｂにそれぞれ１箇所ずつ配置されている。このように面取り部１２が配置されていることで、耐偏摩耗性能を向上させることが可能となる。ここで、面取り部１２が、サイプ１１の踏み込み側のエッジ１１Ａと蹴り出し側のエッジ１１Ｂにそれぞれ２箇所以上形成されると節が多くなり、耐偏摩耗性能を悪化させてしまう傾向がある。
【００４３】
また、サイプ１１に直交する方向に沿って測定される面取り部１２の幅の最大値を幅Ｗ１とする。このとき、面取り部１２の最大幅Ｗ１がサイプ１１のサイプ幅Ｗの０．８〜５．０倍とすることが好ましく、より好ましくは１．２倍〜３．０倍であると良い。このように面取り部１２の最大幅Ｗ１をサイプ幅Ｗに対して適度に設定することで、ドライ路面での操縦安定性能の向上とウエット路面での操縦安定性能の向上を両立させることが可能となる。ここで、面取り部１２の最大幅Ｗ１が、サイプ１１のサイプ幅Ｗの０．８倍より小さいとウエット路面での操縦安定性能の向上が不十分となり、５．０倍より大きいとドライ路面での操縦安定性能の向上が不十分となる。
【００４４】
更に、面取り部１２の長手方向の外縁部はサイプ１１の延在方向と平行に形成されている。このように面取り部１２がサイプ１１と平行に延在することで、耐偏摩耗性能を向上させるができると共に、ドライ路面での操縦安定性能の向上とウエット路面での操縦安定性能の向上を両立させることが可能となる。
【００４５】
面取り部１２Ａ，１２Ｂの主溝９寄りに位置する端部は、図１０に示すように、リブ１０の両側に位置する主溝９にそれぞれ連通している。このように面取り部１２Ａ，１２Ｂが形成されていることで、ウエット路面での操縦安定性能をより一層向上させることが可能となる。或いは、面取り部１２Ａ，１２Ｂの主溝９寄りに位置する端部が、主溝９に連通せずにリブ１０内で終端していてもよい。このように面取り部１２Ａ，１２Ｂが形成されていることで、ドライ路面での操縦安定性能をより一層向上させることが可能となる。
【００４６】
図１１（ａ），（ｂ）は本発明に係る空気入りタイヤのトレッド部に形成されたサイプ及びその面取り部の他の変形例を示すものである。面取り部１２Ａと面取り部１２Ｂは、図１１（ａ）に示すように、サイプ１１の中央部において面取り部１２Ａ，１２Ｂの双方の一部が重なり合うように形成されている。ここで、面取り部１２Ａと面取り部１２Ｂが重なり合った部分であるオーバーラップ部のタイヤ幅方向の長さをオーバーラップ長さＬ１とする。一方、図１１（ｂ）に示すように、面取り部１２Ａと面取り部１２Ｂの双方の一部が重ならず、一定の間隔をあけて離間している場合、オーバーラップ長さＬ１のサイプ長さＬに対する割合はマイナス値で表す。オーバーラップ部のオーバーラップ長さＬ１は、サイプ長さＬの−３０％〜３０％であることが好ましく、より好ましくは−１５％〜１５％であると良い。このように面取り部１２におけるオーバーラップ長さＬ１をサイプ長さＬに対して適度に設定することで、ドライ路面での操縦安定性能の向上とウエット路面での操縦安定性能の向上を両立させることが可能となる。ここで、オーバーラップ長さＬ１が３０％より大きいとドライ路面での操縦安定性能の向上が不十分となり、−３０％より小さいとウエット路面での操縦安定性能の向上が不十分となる。
【００４７】
図１２はサイプの延在方向に沿って切り欠いたものである。図１２に示すように、サイプ１１はその長さ方向の一部に底上げ部１４を有している。底上げ部１４としては、サイプ１１の中央部に位置する底上げ部１４Ａと、サイプ１１の両端部に位置する底上げ部１４Ｂが存在する。このようにサイプ１１に底上げ部１４を設けることで、ドライ路面での操縦安定性能の向上とウエット路面での操縦安定性能の向上を両立させることが可能となる。サイプ１１の底上げ部１４はサイプ１１の端部及び／又は端部以外に形成しても良い。
【００４８】
サイプ１１に形成された底上げ部１４においてタイヤ径方向の高さを高さＨ14とする。サイプ１１の端部以外に形成された底上げ部１４Ａにおいて、サイプ１１の溝底から底上げ部１４Ａの上面までの高さの最大値を高さＨ14Aとする。この高さＨ14Aは、サイプ１１の最大深さｘの０．２〜０．５倍であることが好ましく、より好ましくは０．３〜０．４倍が良い。このようにサイプ１１の端部以外に配置された底上げ部１４Ａの高さＨ14Aが適度な高さに設定されることで、ブロック１０１の剛性を向上させることができると共に、排水効果を維持することができるため、ウエット路面での操縦安定性能を向上させることが可能となる。ここで、高さＨ14Aが、サイプ１１の最大深さｘの０．２倍より小さいとブロック１０１の剛性を十分に向上させることができず、０．５倍より大きいとウエット路面での操縦安定性能を十分に向上させることができない。
【００４９】
サイプ１１の両端部に形成された底上げ部１４Ｂにおいて、サイプ１１の溝底から底上げ部１４Ｂの上面までの高さの最大値を高さＨ14Bとする。この高さＨ14Bは、サイプ１１の最大深さｘの０．６〜０．９倍であることが好ましく、より好ましくは０．７〜０．８倍が良い。このようにサイプ１１の端部に形成された底上げ部１４Ｂの高さＨ14Bが適度な高さに設定されることで、ブロック１０１の剛性を向上させることができ、ドライ路面での操縦安定性能を向上させることが可能となる。ここで、高さＨ14Bが、サイプ１１の最大深さｘの０．６倍より小さいとブロック１０１の剛性を十分に向上させることができず、０．９倍より大きいとウエット路面での操縦安定性能を十分に向上させることができない。
【００５０】
また、サイプ１１の底上げ部１４においてタイヤ幅方向の長さを底上げ長さＬ14とする。底上げ部１４Ａ，１４Ｂの底上げ長さＬ14A，Ｌ14Bは、サイプ長さＬに対して０．３〜０．７倍であることが好ましく、より好ましくは０．４〜０．６倍が良い。このように底上げ部１４Ａ，１４Ｂの底上げ長さＬ14A，Ｌ14Bを適度に設定することで、ドライ路面での操縦安定性能を向上とウエット路面での操縦安定性能の向上を両立させることが可能となる。
【実施例】
【００５１】
タイヤサイズ２４５／４０Ｒ１９で、トレッド部にタイヤ周方向に延びる複数本の主溝を有し、主溝により区画されるリブにタイヤ幅方向に延びるサイプを備えると共に、車両に対する装着方向が指定された空気入りタイヤにおいて、面取りの配置、サイプの構造、サイプ長さＬと面取り長さＬA，ＬBの長短、面取り部に対向する部位の面取りの有無、車両装着内側の全ての面取り部の総体積ＳINと車両装着外側の全ての面取り部の総体積ＳOUTとの大小、サイプの最大深さｘ（ｍｍ）、面取り部の最大深さｙ（ｍｍ）、面取り部を有するサイプを備えたリブの列数、車両装着内側の全ての面取り部の総投影面積ＡINと車両装着外側の全ての面取り部の総投影面積ＡOUTとの大小、車両装着内側の全ての面取り部の総体積ＳINの車両装着外側の全ての面取り部の総体積ＳOUTに対する比（ＳIN／ＳOUT）を表１のように設定した比較例及び実施例１〜５のタイヤを製作した。
【００５２】
なお、これら試験タイヤの全てにおいて、リブに形成されたサイプは、リブを貫通するオープンサイプであると共に、踏み込み側と蹴り出し側の両側のエッジにサイプ長さよりも短い面取り部が存在する一方で各面取り部に対向する部位には他の面取り部が存在しない構造を有する。
【００５３】
これら試験タイヤについて、テストドライバーによるドライ路面での操縦安定性能及びウエット路面での操縦安定性能に関する官能評価並びにハイドロプレーニング防止性能に関する評価を実施し、その結果を表１に併せて示した。
【００５４】
ドライ路面での操縦安定性能及びウエット路面での操縦安定性能に関する官能評価は、各試験タイヤをリムサイズ１９×８．５Ｊホイールに組み付けて車両に装着し、空気圧２６０ｋＰａの条件にて行った。評価結果は、比較例を１００とする指数にて示した。この指数値が大きいほどドライ路面での操縦安定性能及びウエット路面での操縦安定性能が優れていることを意味する。
【００５５】
ハイドロプレーニング防止性能に関する評価は、各試験タイヤをリムサイズ１９×８．５Ｊのホイールに組み付けて、空気圧を２６０ｋＰａとして車両に装着し、直進路上で水深１０ｍｍのプールに進入するようにした走行試験を実施し、プールへの進入速度を徐々に増加させ、ハイドロプレーニング現象が発生する限界速度を測定した。評価結果は、比較例を１００とする指数にて示した。この指数値が大きいほどハイドロプレーニング防止性能が優れていることを意味する。
【００５６】
【表１】
2018131048.tif 000003
【００５７】
これら表１から判るように、サイプに形成された面取り部の形状を工夫することで、実施例１〜５のタイヤは、ドライ路面での操縦安定性能とウエット路面での操縦安定性能が同時に改善され、ハイドロプレーニング防止性能も改善されていた。
【符号の説明】
【００５８】
１  トレッド部
２  サイドウォール部
３  ビード部
９  主溝
１０  リブ
１１  サイプ
１１Ａ  踏み込み側のエッジ
１１Ｂ  蹴り出し側のエッジ
１２  面取り部
１２Ａ  踏み込み側の面取り部
１２Ｂ  蹴り出し側の面取り部
１３  非面取り領域
１３Ａ  踏み込み側の非面取り領域
１３Ｂ  蹴り出し側の非面取り領域
【図１】
2018131048.tif 000004
【図２】
2018131048.tif 000005
【図３】
2018131048.tif 000006
【図４】
2018131048.tif 000007
【図５】
2018131048.tif 000008
【図６】
2018131048.tif 000009
【図７】
2018131048.tif 000010
【図８】
2018131048.tif 000011
【図９】
2018131048.tif 000012
【図１０】
2018131048.tif 000013
【図１１】
2018131048.tif 000014
【図１２】
2018131048.tif 000015